(57)【要約】      （修正有）【課題】マンホール蓋の異なる係合受部に対し、１つの開閉具で開閉できるマンホール蓋開閉具を提供する。【解決手段】直線状の棒状本体部１０の上端に取手部１１を設け、その下端にはフック部１３が内設されたフック部収納部１２を設ける。フック部収納部１２の基端部を支持部１５側に延長して延長部１４を設け、この延長部１４に支持部１５の上端部を回動自在に軸着する。フック部１３はその略中央部で回動自在にフック部収納部１２内に軸着する。フック部１３の一方端にはＪ字型フック１３ｊを、その他方端にはＴ字型フック１３ｔを設ける。棒状本体部１０は上下２本の管体１０ａ, １０ｂから形成し、一方の管体１０ａを他方の管体１０ｂの内側に収納し且つ固定できるようにして伸縮自在とした。【選択図】図１
0003202723.tif 000002
【実用新案登録請求の範囲】
【請求項１】
一方端部に取手部が設けられ、他方端部にはフック部が設けられた棒状本体部のフック部側寄りに支持部を設け、当該支持部が梃子の支点を成すマンホール蓋開閉具において、
棒状本体部として略直線状のものを使用し、
棒状本体部のフック部が設けられる他方端部にフック部収納部を設け、
当該フック部収納部の基端部を支持部側に延長して延長部を設け、
この延長部に前記支持部の上端部を回動自在に軸着し、
前記フック部は棒状体のものから形成してその略中央部で回動自在に前記フック部収納部内に軸着し、フック部の一方端部にはＪ字型フックを、その他方端部にはＴ字型フックを設けたことを特徴とするマンホール蓋開閉具。
【請求項２】
棒状本体部を上下２本の管体から形成し、一方の管体を他方の管体の内側に収納し且つ固定できるようにして伸縮自在としたことを特徴とする請求項１に記載のマンホール蓋開閉具。
【請求項３】
支持部の上端の軸着部までの上下高さと棒状本体部の先端と前記支持部の軸着部までの上下高さを略同一としたことを特徴とする請求項１又は２に記載のマンホール蓋開閉具。
【請求項４】
前記支持部の路面との接地部を棒状本体部に対して外側方向に延長したことを特徴とする請求項１乃至３の何れか１項に記載のマンホール蓋開閉具。
【考案の詳細な説明】
【技術分野】
【０００１】
本考案は、マンホールの蓋を開閉するための開閉具に関するものである。
【背景技術】
【０００２】
従来のマンホール蓋開閉具としては、下記特許文献に記載のものを挙げることができる。
この文献に記載のマンホール蓋開閉装置は、一端に取手部を有する長辺レバーと、他端にフックを備えた短辺レバーにより側面がくの字状に形成されたものであって、このくの字状の屈折点の外方に突出した支点部と、この支点部を受ける受座と、前記フック側の他端と支点部間に設けたマンホール蓋端部受とからなるものである。
そして、上記支点部が梃子の原理の支点として作用し、取手部を下方に押し下げることにより他端のフックが上方に押し上げられ、マンホール蓋を持ち上げることができるものである。
【０００３】
他方、開放又は閉鎖されるマンホール蓋に関しては、その開閉具が有するフック部が係合する係合受部として、２種類の形式がある。
これら２種類の係合受部を図４が示している。
この図４は、マンホール蓋Ｍの平面図を示し、その（Ａ）が棒状受部３１を示し、その（Ｂ）が穴状受部３２を示している。
【０００４】
これらの図から解る通り、（Ａ）図の棒状受部３１に対しては、側面視Ｊ字形状のＪ字型フックが係合することができる。
他方、（Ｂ）図の係合受部としての穴状受部３２は、丸穴の直径方向に直線的な穴部が重ね合わされた形状を有するものからなり、その穴部の内部は空洞となっているものである。
この穴状受部に対しては、正面視Ｔ字型のＴ字型フックによって引っ掛けることができるのである。
【０００５】
このように異なるタイプの係合受部を有するマンホール蓋を開ける際には、上記従来の開閉装置においては、そのフック部の異なる形状のものを選択して短辺レバーの先端に取り付けて使用することとなるのである。
つまり、異なるタイプのマンホール蓋を開閉する際には、そのマンホール蓋の係合受部の形状に合うフックに交換する手間が掛かっていたのである。
【先行技術文献】
【特許文献】
【０００６】
【特許文献１】実開平１−９３２４４号公報
【考案の概要】
【考案が解決しようとする課題】
【０００７】
本考案においては、上記従来のようにマンホール蓋の係合受部の形態に拘わらず、１つの完結した開閉具によって、即ち、何ら交換部品をも必要とせずに、マンホール蓋の係合受部の形態に応じて、容易にその形態に合致する形状のフックを選択して使用することができる開閉具の提供をその課題としている。
これにより、部品の交換、即ち異なる形状のフックと交換することを必要とせずに、容易にマンホール蓋の開閉を行うことができることとなるのである。
【課題を解決するための手段】
【０００８】
上記課題を解決するために、本考案の第１のものは、一方端部に取手部が設けられ、他方端部にはフック部が設けられた棒状本体部のフック部側寄りに支持部を設け、当該支持部が梃子の支点を成すマンホール蓋開閉具において、棒状本体部として略直線状のものを使用し、棒状本体部のフック部が設けられる他方端部にフック部収納部を設け、当該フック部収納部の基端部を支持部側に延長して延長部を設け、この延長部に前記支持部の上端部を回動自在に軸着し、前記フック部は棒状体のものから形成してその略中央部で回動自在に前記フック部収納部内に軸着し、フック部の一方端部にはＪ字型フックを、その他方端部にはＴ字型フックを設けたことを特徴とするマンホール蓋開閉具である。
【０００９】
本考案の第２のものは、上記第１の考案において、棒状本体部を上下２本の管体から形成し、一方の管体を他方の管体の内側に収納し且つ固定できるようにして伸縮自在としたことを特徴とするマンホール蓋開閉具である。
【００１０】
本考案の第３のものは、上記第１又は第２の考案において、支持部の上端の軸着部までの上下高さと棒状本体部の先端と前記支持部の軸着部までの上下高さを略同一としたことを特徴とするマンホール蓋開閉具ある。
【００１１】
本考案の第４のものは、上記それぞれの考案において、前記支持部の路面との接地部を棒状本体部に対して外側方向に延長したことを特徴とするマンホール蓋開閉具である。
【考案の効果】
【００１２】
本考案の第１のものにおいては、棒状本体部の先端部のフック部収納部内にフック部を回動自在に軸着し、その一方端にはＪ字型フックを、その他方端にはＴ字型フックを設けているために、マンホールの係合受部の形態に応じて、これらＪ字型フック又はＴ字型フックの何れかを選択して、その選択されたフックを棒状本体部の先端である下方端部に配置して、マンホールの係合受部と係合させることができる。
【００１３】
また、棒状本体部は、従来のように折曲しておらず、略直線状であるために、その先端部にフックが位置し、マンホールの係合受部に係合させる際に、容易にその係合受部にフックを係合させることができ、その使い勝手が非常によいものとなる。
更に、支持部が棒状本体部のフック部収納部の基端部に設けられた延長部に軸着されている関係上、棒状本体部を持ち上げた際には、支持部を棒状本体部と略平行に配置させておくことができ、嵩張らず、その取り扱いも容易なものとなる。
【００１４】
本考案の第２のものにおいては、上記効果に加えて、棒状本体部を上下２本の管体から形成し、一方の管体を他方の管体の内側に収納し且つ固定できるようにして伸縮自在としたために、棒状本体部の長さを長短必要に応じて調節して使用することができ、使用者の身長等に適合させて使用することができる。
また不使用時においては、その棒状本体部の長さを短くしてコンパクト化を図ることができる。
【００１５】
本考案の第３のものにおいては、支持部の上端の軸着部までの上下高さと棒状本体部の先端と前記支持部の軸着部までの上下高さを略同一としたことにより、支持部を路面又は地面上に接地させた際に、丁度棒状本体部の先端も路面又はマンホール上面に接地する状態となり、その先端に備わるフック部のフック先端部をマンホール蓋の係合受部に適切に且つ容易に係合させることができる。
【００１６】
本考案の第４のものにおいては、支持部の路面への接地部を棒状本体部に対して外側方向に延長したことを特徴とするものであり、これにより支持部は、極めて安定的に棒状本体部の梃子の支点として機能することとなるのである。  
【図面の簡単な説明】
【００１７】
【図１】本考案に係るマンホール蓋開閉具の一実施形態を図示しており、その（Ａ）が側面図、その（Ｂ）が正面図、その（Ｃ）が背面図である。
【図２】上記実施形態に係る開閉具のフック部を図示しており、その（Ａ）が側面図を、その（Ｂ）が正面図を、その（Ｃ）が平面図を示している。
【図３】上記実施形態の斜視図を示しており、その（Ａ）がその全体を示し、その（Ｂ）が棒状本体部の拡大した下方先端部分を示している。
【図４】現存する異なるタイプのマンホール蓋の平面図を示し、その（Ａ）が棒状受部から成る係合受部を有するものを示し、その（Ｂ）が穴状受部から成る係合受部を有するものを示している。
【考案を実施するための形態】
【００１８】
以下、添付の図面と共に本考案の一実施形態について説明する。
図１は、本考案に係るマンホール蓋開閉具の一実施形態を図示しており、その（Ａ）が側面図、その（Ｂ）が正面図、その（Ｃ）が背面図である。
【００１９】
本考案に係る開閉具は、棒状本体部１０の上端部に取手部１１を設け、その下端部にはフック部１３を内設するフック部収納部１２と、フック部収納部１２の上方の基端部に設けた側方に延長する延長部１４に軸着された支持部１５とから形成されている。
これらの構成部材は、全て金属製である。
【００２０】
棒状本体部１０は、２本の金属製管体１０ａ、１０ｂから形成され、上方の管体１０ａが下方の管体１０ｂの内部に収納又は挿入されて、その長さを長短自在に調整できる。
即ち、固定用螺子２０を緩めて取り外し、図には現われていないが、上方の管体１０ａに設けた複数の貫通孔の適宜位置のものに貫通させ、その後締着することにより、その長さを調節することができる。
【００２１】
勿論、上方の管体１０ａに設けた貫通孔を長手方向に長い長孔に形成することも自由である。
また、上方の管体１０ａには貫通孔を設けずに、単に螺子によって外方から締め付ける形態であってもよい。
【００２２】
この棒状本体部１０の上方端部には、取手部１１が設けられており、この取手部１１は、正面視略矩形形状に形成された枠体から成る。
他方、この棒状本体部１０の下端部には、フック部収納部１２が設けられている。
より詳しくは、このフック部収納部１２は、上記棒状本体部１０の下端部の両側に２枚の側板を略平行に配設し、これらの側板の間にフック部１３の略中央部を軸着しているのである。
【００２３】
フック部１３の形態は、後の図２によって詳説するが、軸着された中央部１３ｃのそれぞれの端部から図中上方に延長して設けられたＴ字型フック１３ｔと、その下方に延長して設けられたＪ字型フック１３ｊがそれぞれ設けられている。
Ｔ字型フック１３ｔは、図１（Ｂ）及び（Ｃ）から良く解る通り正面視その端部がＴ字形状を有しており、他方のＪ字型フック１３ｊは、図１（Ａ）から良く解る通り側面視その端部がＪ字形状を有している。
【００２４】
このＪ字型フック１３ｊが、図４（Ａ）に図示した棒状受部３１と係合することできる。
即ち、このＪ字型フック１３ｊがマンホール蓋Ｍの棒状受部３１（図４参照）を引っ掛けるようにして係合し、このＪ字型フック１３ｊを上方に引き上げることによってマンホールＭが上方に引き上げられる。
【００２５】
他方、Ｔ字型フック１３ｔは、図４（Ｂ）に図示した穴状受部３２と係合することができる。
即ち、このＴ字型フック１３ｔの横に張り出した突出部をマンホールＭの穴状受部３２の直径方向に伸びる穴部に適合させ、この穴状受部３２内部にＴ字型フック１３ｔを挿入し、その後略９０度左又は右に回転して上方に引き上げるのである。これによりマンホール蓋Ｍは上方に引き上げられるのである。
【００２６】
棒状本体部１０の下端部に設けた上記フック部収納部１２の基端側、つまり図中上方側で、側方に延長する延長部１４をそれぞれに設け、これらの延長部１４、１４に支持部１５の上端部を軸着する。
【００２７】
この支持部１５は、その上端部で棒状本体部１０の下端部のフック部収納部１２とその延長部１４、１４で軸着されている。
図１（Ａ）から良く解る通り、この支持部１５は、側面視略三角形形状を有し、その頂点部分で前記延長部１４に軸着され、その下辺が横方向（図中左右方向）に延長されている。
【００２８】
即ち、この支持部１５の接地部１５ｅ、１５ｅは、直立させた状態の棒状本体部１０を中心として外方に延長されており、この支持部１５が路面に接地された際に、極めて安定的に路面に接地できることとなる。
従って、この支持部１５の接地部１５ｅ、１５ｅを路面に接地させて、梃子の原理を利用して極めて安定的にフック部１３を引き上げることができるのである。
【００２９】
図２は、本考案の上記実施形態に係る開閉具のフック部を図示しており、その（Ａ）が側面図を、その（Ｂ）が正面図を、その（Ｃ）が平面図を示している。
この図から良く解る通り、本実施形態に係るフック部１３は、その中央部分１３ｃが略角柱形状を有し、その図中上方側にはＴ字型フック１３ｔが延長し、その図中下方側にはＪ字型フック１３ｊが延長し、その中央部分１３ｃのやや下方位置に軸部が貫通する貫通孔１３ｈが設けられたものである。
【００３０】
上記貫通孔１３ｈに軸部が貫通して、このフック部１３は、棒状本体部１０の先端部分（取手部と反対側）のフック部収納部１２に軸着されるのである。
従って、この軸着部でフック部１３は、回動し、Ｔ字型フック１３ｔ及びＪ字型フック１３ｊは、それぞれ下方位置に配置させることができ、マンホールの係合受部の形態に合致する側のフックを選択して回動して、選択したフックを下方に配置して使用することができるのである。
【００３１】
図３は、上記実施形態の斜視図を示しており、その（Ａ）がその全体を示し、その（Ｂ）が棒状本体部の拡大した下方先端部分を示している。
この図を用いて、本考案の開閉具の使用手順について説明する。
先ず、使用者の身長等に応じて、棒状本体部１０の長さを適宜調整する。
【００３２】
即ち、上方管体１０ａを下方管体１０ｂから適宜長さ分引き出し、固定用螺子２０により固定する。
棒状本体部１０の長さが決定された後、この棒状本体部１０の上端部の取手部１１を手により把持して、マンホール蓋の近傍に移動する。
【００３３】
マンホール蓋の周縁の路面に支持部１５を置く。
次に、棒状本体部１０を適宜角度傾けて、先端部のフック部収納部１２の先端を上方に移動させる。
このフック部収納部１２の内部に内設されたフック部１３を回動して、マンホール蓋の係合受部の形態に合致するフックを選択して、それを回動して下方に配置する。
【００３４】
即ち、マンホール蓋の係合受部が棒状受部（図４（Ａ））であれは、Ｊ字型フック１３ｊを下方に配置する。他方、マンホール蓋の係合受部が穴状受部（図４（Ｂ））であれは、Ｔ字型フック１３ｔを下方に位置させる。
このようにして、マンホール蓋の係合受部の形態に応じて、フックを選択して下方に配置する。
【００３５】
そして、フックをマンホール蓋の係合受部に係合させて、その後に取手部１１に力を加えて下方に押し下げるのである。
これにより、支持部１５の軸着点を支点として梃子の原理により、容易にマンホール蓋の一部が持ち上げられ、その状態で本考案に係る開閉具及びマンホール蓋を共に手前側に引き寄せることによってマンホール蓋は開放せられるのである。
【００３６】
以上、本考案の一実施形態について説明したが、本考案においては、以下の通り各種その実施形態を変更することができる。
本考案に係るマンホール蓋開閉具を構成する棒状本体部、取手部、フック部収納部、フック部、及び支持部のサイズや個々の形状等は、適宜必要に応じて設計変更できる。
【００３７】
棒状本体部とその先端のフック部収納部は、上記実施形態において個別に説明したが、これらは一体的なものであって、棒状本体部の先端にフック部が収納された態様で、回動自在に設けられていればよいものである。
勿論、別体に形成して、両者を溶接して製造するのも自由である。
【００３８】
フック部の形態も自由であって、その中央部が略角柱形状でなくともよく、円柱形状であってもよく、要するに棒状のものであればよく、それぞれの先端部にＪ字型フックとＴ字型フックが設けられていればよいものである。
【００３９】
支持部の形状も自由に設計することができるが、上記実施形態のように、接地部が直立した棒状本体部に対してこの棒状本体部からその外側方向に適宜長く延長するような形態であれば極めて好ましいものである。
というのも、この支持部が梃子の原理の支点となるに際して、極めて安定した形態となるからである。
【００４０】
以上、本考案に係るマンホール蓋開閉具は、極めて洗練された形態を採用することにより、しかもそのフック部の両端部に異なるタイプのフックを備えることにより、１つの開閉具で異なるタイプの係合受部を有するマンホール蓋に対応できるものを提供することができたものである。
【符号の説明】
【００４１】
１０  棒状本体部
１０ａ、１０ｂ  管体
１１  取手部
１２  フック部収納部
１３  フック部
１３ｊ  Ｊ字型フック
１３ｔ  Ｔ字型フック
１４  延長部（フック部収納部の）
１５  支持部
１５ｅ  接地部（支持部の）
２０  固定用螺子
【図１】
0003202723.tif 000003
【図２】
0003202723.tif 000004
【図３】
0003202723.tif 000005
【図４】
0003202723.tif 000006